(57)【特許請求の範囲】
【請求項１】
水性酸性相中に存在する不安定金属種と非不安定金属種を分離する方法において、
（ａ）水性酸性相を、
（ｉ）非不安定金属種を有機相中に抽出することができる外圏抽出剤と
（ｉｉ）不安定金属種の不安定金属原子と配位可能な配位抽出剤と
を含む有機相と接触させ、それによって不安定金属と非不安定金属が有機相中に抽出される工程と、ついで
（ｂ）有機相から金属を、
有機相を水又は酸性水溶液と接触させて、非不安定金属種を含む第一水溶液を提供し、
有機相を不安定金属種の不安定金属原子と錯化可能な錯化試薬を含む水性相と接触させて、不安定金属種を含む第二水溶液を提供する
ことによって選択的にストリッピングする工程
を含む、方法。
【請求項２】
非不安定金属種が白金族金属種である、請求項１に記載の方法。
【請求項３】
不安定金属種が白金族金属種と金種から選択される、請求項１又は請求項２に記載の方法。
【請求項４】
不安定金属種がパラジウム種であり、非不安定金属種が白金種である、請求項１に記載の方法。
【請求項５】
配位抽出剤が硫黄原子を含む、請求項１から４の何れか一項に記載の方法。
【請求項６】
配位抽出剤が、チオエーテル、チオケトン、チオアルデヒド、ホスフィンスルフィド及びチオホスフェートからなる群から選択される一又は複数の官能基を含む、請求項５に記載の方法。
【請求項７】
配位抽出剤が、
（ａ）以下の式ＩＩＩ：
0006568118.tif 000026
（上式中、各Ｒ６は、置換されていてもよいＣ２〜Ｃ２０炭化水素部分及び−ＯＲ７（ここで、各Ｒ７は置換されていてもよいＣ２〜Ｃ２０炭化水素部分である）から独立して選択される）の化合物、又は
（ｂ）以下の式ＩＶ：
0006568118.tif 000027
（上式中、Ｒ８はＨ及び置換されていてもよいＣ２〜Ｃ２０炭化水素部分から選択され、Ｒ９は置換されていてもよいＣ２〜Ｃ２０炭化水素部分である）の化合物である、請求項６に記載の方法。
【請求項８】
配位抽出剤が式ＩＩＩの化合物であり、各Ｒ６が置換されていてもよいＣ２〜Ｃ１５アルキルであり、又は各Ｒ６が−ＯＲ７（該式中、各Ｒ７は置換されていてもよいＣ２〜Ｃ１５アルキルである）である、請求項７に記載の方法。
【請求項９】
配位抽出剤が式ＩＶの化合物であり、Ｒ８及びＲ９のそれぞれが置換されていてもよいＣ３〜Ｃ１５アルキルである、請求項７に記載の方法。
【請求項１０】
外圏抽出剤が、アミド部分、有機ホスフェート、ホスホネート若しくはホスフィネート部分又は有機ホスフィンオキシド部分からなる群から選択される部分を含む、請求項１から９の何れか一項に記載の方法。
【請求項１１】
外圏抽出剤が、
（ａ）以下の式Ｉ：
0006568118.tif 000028
（上式中、
Ｒ１及びＲ２は、Ｈ又は置換されていてもよいＣ１〜Ｃ２０炭化水素部分から独立して選択され、かつ
Ｒ３は置換されていてもよいＣ１〜Ｃ２０炭化水素部分である）
の化合物、又は
（ｂ）以下の式ＩＩ：
0006568118.tif 000029
（上式中、
各Ｒ４は、置換されていてもよいＣ３〜Ｃ２０炭化水素部分及び−ＯＲ５（該式中、各Ｒ５は置換されていてもよいＣ２〜Ｃ２０炭化水素部分である）から独立して選択される）
の化合物である、請求項１０に記載の方法。
【請求項１２】
外圏抽出剤が式Ｉの化合物であり、該式中
Ｒ１が置換されていてもよいＣ１０〜Ｃ１５アルキルであり、
Ｒ２がＨであり、かつ
Ｒ３が置換されていてもよいＣ１０〜Ｃ１５アルキルであるか、
又は
Ｒ１が置換されていてもよいＣ５〜Ｃ１０アルキルであり；
Ｒ２が置換されていてもよいＣ５〜Ｃ１０アルキルであり；かつ
Ｒ３が置換されていてもよいＣ１〜Ｃ４アルキルである、請求項１１に記載の方法。
【請求項１３】
外圏抽出剤が式ＩＩの化合物であり、各Ｒ４が独立して置換されていてもよいＣ５〜Ｃ１０アルキル、又は−ＯＲ５（該式中、各Ｒ５は置換されていてもよいＣ３〜Ｃ１０アルキルである）である、請求項１１に記載の方法。
【請求項１４】
錯化試薬が、アンモニア、アミン部分を含む化合物、オキシム部分を含む化合物、−Ｃ＝Ｓ部分を含む化合物、−Ｓ＝Ｏ部分を含む化合物及び−Ｃ＝Ｏ部分を含む化合物からなる群から選択される、請求項１から１３の何れか一項に記載の方法。
【請求項１５】
アミン部分を含む化合物が、一級又は二級アミンである、請求項１４に記載の方法。
【請求項１６】
水性酸性相が４〜８ｍｏｌ・ｄｍ−３の範囲にあるＨ＋濃度を有する、請求項１から１５の何れか一項に記載の方法。
【発明の詳細な説明】
【技術分野】
【０００１】
本発明は、金属を分離するための方法に関し、特に、溶媒抽出によって白金とパラジウムのような貴金属を分離するための方法に関する。本発明はまた本発明の方法において有用な新規な溶媒抽出混合物を提供する。
【背景技術】
【０００２】
溶媒抽出は、貴金属をその鉱石（例えば、鉱石精鉱）又はスクラップ材料から回収するための多くのプロセスの重要な部分である。比較的純粋な金属サンプルを回収するために、溶媒抽出を用いて、貴金属を卑金属や他の物質から、また互いに、分離することができる。
【０００３】
これを達成するために、典型的には、場合により卑金属と組み合わせた２種以上の異なる貴金属の種を含有する酸性化水溶液を、抽出剤を含有する有機相と接触させる。典型的には、抽出剤は、分離されるべき貴金属の一又は複数に対して選択的であり、よって水性相から有機相中へそれらを選択的に抽出することによってその分離を容易にする。更なる処理工程は、分離された金属の回収を可能にする。
【０００４】
例えば、英国特許出願公開第１４９５９３１号には、第三級アミン抽出剤を含む溶媒を使用する、ロジウム種をまた含有する酸性水溶液からの白金及びイリジウム種の有機溶媒抽出が記載されている。しかしながら、この分離は、パラジウム種の存在下での金属の分離を達成しないので、白金を遊離させる前にパラジウム種を除去する必要があるという欠点がある。
【０００５】
欧州特許出願公開第０２１０００４号には、パラジウムをまた含む酸性化水溶液から白金を抽出するのに適した抽出剤が記載されている。抽出剤はモノ−Ｎ置換アミドである。この抽出剤は、溶液中に存在しうる他の貴金属から白金種を分離することを、特にルテニウム、イリジウム及びオスミウム種が酸化状態ＩＩＩで存在する一方、白金種が酸化状態ＩＶにある場合に、また可能にする。欧州特許出願公開第０２１０００４号には、水性相を穏やかな還元剤で処理することによってこれが達成されうると説明されている。モノ−Ｎ置換アミドでの処理後、パラジウムが回収される場合には、水性相の更なる処理が必要とされる。
【０００６】
パラジウムは、チオエーテル抽出剤を使用して有機相中に抽出されうる。例えば、米国特許出願公開第２００９／０１７８５１３号に説明されているように、ＤＨＳ（ジ−ｎ−ヘキシルスルフィド）は、パラジウムの最も一般的に使用される工業用抽出剤の一つであり、パラジウム、白金及びロジウムを含む酸性水溶液からパラジウムを選択的に抽出することができる。米国特許出願公開第２００９／０１７８５１３号は、次の式：
0006568118.tif 000002
（式中、Ｒ１、Ｒ２及びＲ３は１〜１８の炭素原子を有する鎖状炭化水素基から選択される基を表す）を有する様々なチオエーテル含有抽出剤を提案している。米国特許出願公開第２００９／０１７８５１３号は、そこに記載されている抽出剤は、パラジウムの抽出を、ＤＨＳを使用する場合よりも速く実施することを可能にするが、他の白金族金属（白金を含む）はほとんど抽出されないと述べている。有機溶液中のパラジウムはアンモニアを使用して回収される。
【０００７】
選択的抽出の代替として、一を超える金属を有機相中に同時に抽出し、続いて有機相から各金属を選択的に除去することを提案する文献もある。例えば、米国特許第４６５４１４５号には、Ｋｅｌｅｘ（登録商標）１００：
0006568118.tif 000003
を使用して、金、白金及びパラジウムを含む貴金属を有機相中に共抽出することが記載されている。
【０００８】
ついで、金を溶液から沈殿させ、続いてパラジウムを沈殿させる。白金は、水性相で洗浄することによって有機相から除去される。しかしながら、この文献で提案された方法は、有機相中に抽出された金属を分離するために沈殿を含むという欠点を有する。
【０００９】
米国特許第５０４５２９０号には、純度の低い実質的に金を含まない貴金属及び卑金属担持酸性塩化物又は混合塩化物／硫酸塩溶液からＰｔ及びＰｄを回収する方法であって、約１．５未満のｐＨを有する酸性溶液を、８−ヒドロキシキノリン溶媒抽出試薬、相改質剤及び芳香族希釈剤を含有する有機溶液と接触させて、白金とパラジウムを同時に有機溶液中に抽出し、共抽出された溶液をスクラビングして共抽出不純物と酸を除去し、２０〜５０℃、ｐＨ範囲２〜５で作用するバッファー溶液で負荷有機物をストリッピングして白金を選択的に回収し、白金を含まない負荷有機物を３〜８Ｍの塩酸でストリッピングしてパラジウムを回収し、水で洗浄することによって有機溶液を再生する工程を含む方法が記載されている。
【００１０】
Guobang等（文献１）には、石油スルホキシドを使用するＰｔとＰｄの共抽出が記載されている。洗浄後、希ＨＣｌを使用してＰｔを有機相から除去し、水性ＮＨ３を使用してＰｄを除去する。
【００１１】
米国特許出願公開第２０１０／００９５８０７号には、白金族金属を、ロジウム、白金及びパラジウムを含む酸性溶液から分離するための分離試薬が記載されている。該試薬は、一般式：
0006568118.tif 000004
（上式中、Ｒ１、Ｒ２及びＲ３の少なくとも一つは、
0006568118.tif 000005
によって表されるアミド基を表し、アミド基以外のＲ１〜Ｒ３とＲ４〜Ｒ６の各々は炭化水素基である）を有する。この文献に記載されている分離方法では、ロジウム、白金及びパラジウムは該抽出剤を使用して共抽出される。ついで、高濃度の塩酸溶液を使用して、有機相からロジウムを回収する。ついで、白金とパラジウムが、高濃度の硝酸溶液を使用して有機相から逆抽出され、白金とパラジウムの両方を含む水溶液が生成される。
【００１２】
米国特許第４０４１１２６号には、白金とパラジウムの錯体を形成することができる有機的に置換された第二級アミンを使用する酸性水性媒体からの白金とパラジウムの共抽出が記載されている。パラジウムは、酸性化された還元剤の水溶液で有機相から選択的に回収される。白金は、アルカリ金属及びアルカリ土類金属の炭酸塩、重炭酸塩及び水酸化物から選択されるアルカリ性ストリッピング試薬を使用して別個に回収される。
【発明の概要】
【００１３】
金属の分離のための改良された方法、特に白金とパラジウムのような貴金属の分離を可能にするものに対する必要性がなお残っている。
【００１４】
本発明者等は、複数の異なる金属の抽出のために異なる抽出機構を同時に用いることによって、それらの分離のための単純で簡便なプロセスを達成できることを見出した。特に、本発明者等は、水性酸性相から有機相中への金属の同時抽出に対する異なる抽出機構の使用が、抽出された金属を単純かつ穏やかな条件を使用する有機相からの選択的ストリッピングにより分離することを可能にすることを見出した。この方法は、有機相から金属を選択的にストリッピングする能力のため、一回の溶媒抽出工程の後に二種以上の金属を分離することを可能にするので特に有利である。現在の工業的プロセスでは、別個の抽出工程と別個のストリッピング工程が典型的には各金属に対して必要とされるか、あるいは金属は共抽出され、続いて選択的沈殿によって分離される。
【００１５】
酸性化された水溶液中では、金属は、中心の金属原子に配位子が配位した錯体として典型的には存在する。例えば、ＨＣｌ水溶液中で、白金は［ＰｔＣｌ６］２−錯イオン種として存在し得、６個のＣｌ−配位子が酸化状態（ＩＶ）の中心Ｐｔ原子に配位している。同様に、パラジウムと他の金属は、典型的には、中性錯体又は荷電錯体として存在する。例えば、Ｐｄは典型的には［ＰｄＣｌ４］２−として存在する。
【００１６】
溶媒抽出のための抽出剤は、典型的には有機相に可溶性であるが、金属種が抽出される水性相に主に不溶性である。金属種とのそれらの相互作用は、金属種の有機相における溶解度を増加させ、水性相におけるその溶解度を低下させ、金属種が有機相に移行するという効果を有する。
【００１７】
水性相から有機相への金属の抽出を達成するために、抽出剤は、典型的には、二つの方法の一つで、すなわち、金属原子自体との配位（内圏相互作用）、又は錯体全体又は錯イオンとの外圏相互作用での相互作用（例えば、溶媒和及び／又はイオン対相互作用）により、金属種と相互作用する。従って、抽出剤は、それらが抽出中に典型的に金属種と相互作用する方法に基づいて、外圏（例えば、溶媒和）抽出剤又は配位（又は内圏）抽出剤に分類することができる。酸性化された溶液からの貴金属の抽出における抽出剤の挙動は、その全体が、特に、酸性化された溶液からの金属抽出における抽出剤の挙動を記述し定義する目的に対して、出典明示によりここに援用される、参考文献２において検討されている。
【００１８】
異なる金属種は、典型的には、他のタイプよりあるタイプの抽出剤とより容易に相互作用する。本発明者等は、外圏抽出剤と配位抽出剤の組み合わせを使用して、二つの異なる金属を同時に有機相に抽出することができることを見出した。有機相において、抽出された金属種の各々は、主に、配位抽出剤分子又は外圏抽出剤分子の何れかと結合したままである。本発明者等は、二つの金属種がそれらの抽出剤と相互作用する方法のこの違いを、金属を分離するために有機相から水性相への金属種の選択的ストリッピングを可能にするために利用できることを見出した。
【００１９】
金属種が有機抽出剤と相互作用する方法は、金属イオンが如何に不安定であるかによって主に影響を受ける。言い換えれば、これは、金属種の中心金属原子に配位している配位子が、配位抽出剤分子によって如何に容易に置換されるかに依存する。配位子が配位抽出剤分子によって容易に置換される場合、金属は典型的には配位抽出剤と主に相互作用する。 対照的に、配位子が容易に置換されない場合、金属種は、典型的には、主に外圏抽出剤と相互作用する。これはキネティック効果である。
【００２０】
例えば、酸性化水溶液中のパラジウム種は、典型的には配位抽出剤と主に相互作用し、白金種は、典型的には外圏抽出剤と主に相互作用する。従って、本発明者等は、白金及びパラジウム種が、酸性化された水性相から配位抽出剤と外圏抽出剤の組み合わせを使用して同時に抽出され得、ついで簡単で穏やかな技術を使用して有機相から選択的にストリッピングされ、白金種を含むものと、パラジウム種を含むものの二種の水溶液が得られることを見出した。例えば、白金は水又は弱酸性水溶液を使用してストリッピングすることができる。パラジウムは、アンモニア水のような錯化試薬を使用してストリッピングすることができる。
【００２１】
当業者が理解するように、共抽出と選択的ストリッピングを伴うプロセスによって金属を分離するために錯化及び外圏抽出剤の組み合わせを使用しうるという本発明者の認識は、白金とパラジウムだけでなく不安定金属種と非不安定金属種の他の対にも適用可能である。
【００２２】
従って、第一の好ましい態様では、本発明は、水性酸性相中に存在する不安定金属種と非不安定金属種を分離する方法において、
（ａ）水性酸性相を、
（ｉ）非不安定金属種を有機相中に抽出することができる外圏抽出剤と
（ｉｉ）不安定金属種の不安定金属原子と配位可能な配位抽出剤と
を含む有機相と接触させ、それによって不安定金属と非不安定金属が有機相中に抽出される工程と、ついで
（ｂ）有機相から金属を、
有機相を水又は酸性水溶液と接触させて、非不安定金属種を含む第一水溶液を提供し、
有機相を不安定金属種の不安定金属原子と錯化可能な錯化試薬を含む水性相と接触させて、不安定金属種を含む第二水溶液を提供する
ことによって選択的にストリッピングする工程
を含む、方法を提供する。
【００２３】
好ましくは、不安定金属種はパラジウム種である。好ましくは、非不安定金属種は白金種である。従って、より好ましい態様では、本発明は、水性酸性相中に存在する白金種とパラジウム種を分離する方法において、
（ａ）水性酸性相を、
（ｉ）白金種を有機相中に抽出することができる外圏抽出剤と
（ｉｉ）パラジウム種のパラジウム原子と配位可能な配位抽出剤と
を含む有機相と接触させ、それによって白金とパラジウムが有機相中に抽出される工程と、ついで
（ｂ）有機相から白金とパラジウムを、
有機相を水又は酸性水溶液と接触させて、白金種を含む第一水溶液を提供し、
有機相をパラジウムと錯化可能な錯化試薬を含む水性相と接触させて、パラジウム種を含む第二水溶液を提供する
ことによって選択的にストリッピングする工程
を含む、方法を提供する。
【００２４】
第二の好ましい態様では、本発明は、希釈剤、外圏抽出剤及び配位抽出剤を含む溶媒抽出混合物を提供する。
【００２５】
第三の好ましい態様では、本発明は、非不安定金属種から不安定金属種を分離するための第二の好ましい態様による溶媒抽出混合物の使用を提供する。
【００２６】
第四の好ましい態様では、本発明は、希釈剤、外圏抽出剤及び配位抽出剤を組み合わせることを含む、（例えば、第二の好ましい態様に係る）溶媒抽出混合物の調製方法を提供する。
【図面の簡単な説明】
【００２７】
【図１】実施例１において決定された、異なったフィード酸性度でのＰｔ、Ｉｒ、Ｒｈ及びＲｕに対する分配係数を示す。
【図２】実施例１において決定された、有機相からのＰｔストリッピングの分配係数対ストリッピング水溶液の濃度を示す。
【図３】実施例１において決定された、異なるＨＣｌ濃度のストリッピング水溶液に対する、有機相中のＰｔ濃度対ストリッピング溶液との接触数を示す。
【発明を実施するための形態】
【００２８】
（詳細な説明）
本発明の好ましい特徴及び／又は任意の特徴が以下に示される。本発明の何れの態様も、文脈上別段の要求がない限り、本発明の何れの他の態様とも組み合わせることができる。文脈上別段の要求がない限り、何れかの態様の好ましい又は任意の特徴の何れも、単独で又は組み合わせて、本発明の何れかの態様と組み合わせることができる。
【００２９】
当業者であれば、酸性水溶液中の金属種を指す不安定及び非不安定という用語を容易に理解し、これは典型的には中心金属原子を有する配位錯体である。（当業者が理解するように、配位錯体は、各々に一又は複数の配位子が配位した一を超える金属原子を含みうる。）典型的には、不安定金属種は酸性水溶液中で容易に配位子交換を受ける。その結果、抽出剤と不安定金属種の中心金属原子との間に共有配位結合が容易に形成されうる。例えば、配位抽出剤は、不安定金属種の配位圏から別の配位子を外しうる。酸性水溶液中で不安定金属種を典型的に形成する金属の例は、Ｐｄ（特にＩＩ酸化状態）とＡｕ（特にＩＩＩ酸化状態）である。
【００３０】
逆に、非不安定金属種は、典型的には、酸性水溶液中で配位子交換を容易には受けない。その結果、抽出剤と非不安定金属種の中心金属イオンとの間の共有配位結合が容易に形成されない。代わりに、不安定金属種の配位圏の配位子は、抽出中に実質的に変化しないままである。抽出剤は、典型的には、静電相互作用、水素結合、双極子間相互作用、ファンデルワールス相互作用、イオン間相互作用、イオン・双極子間相互作用、溶媒和相互作用、ロンドン相互作用、及び双極子誘起双極子相互作用の一又は複数から選択されるような非共有結合相互作用を含むが、共有結合を含まない、外圏機構によって、全非不安定金属種（すなわち、中心金属原子とその関連配位子）と相互作用する。酸性水溶液中で非不安定金属種を典型的に形成する金属の例は、Ｐｔ（特にＩＶ酸化状態）、Ｉｒ（特にＩＶ酸化状態）、Ｏｓ（特にＩＶ酸化状態）、及びＲｕ（特にＩＶ酸化状態）である。
【００３１】
参考文献２には、酸性化溶液中の貴金属イオンの不安定性が記載されている。特に、図５には、Ｐｄ（ＩＩ）に対する貴金属のクロロ錯体の異なる置換（配位子交換）反応速度が例示されている。この図を以下に複製する。
0006568118.tif 000006
【００３２】
Ｐｄ（ＩＩ）とＡｕ（ＩＩＩ）は、例えば、その相対置換反応速度が速いので、不安定であると考えうる。Ｏｓ（ＩＩＩ）、Ｏｓ（ＩＶ）、Ｉｒ（ＩＶ）、Ｒｕ（ＩＶ）及びＰｔ（ＩＶ）は、例えば、その相対置換反応速度が遅いので、非不安定であると考えうる。参考文献２は、その全体が出典明示により、特に、貴金属クロロ錯体の配位子置換反応速度及び貴金属の不安定性を説明する目的で、ここに援用される。Ｏｓ（ＩＩＩ）は典型的には空気の存在下で不安定であることに留意されたい。
【００３３】
本発明において、不安定金属種は、典型的には、６ｍｏｌ・ｄｍ−３のＨＣｌ濃度を有する水性酸性相から、芳香族石油溶媒中のジ−ｎ−オクチルスルフィドから本質的になる有機相に容易に抽出される金属種として定義されうる。「容易に抽出される」とは、典型的には、過剰のジ−ｎ−オクチルスルフィドが提供される場合に、不安定金属種の金属の少なくとも９５ｍｏｌ％が６０分以内に有機相中に抽出されることを意味しうる。本発明では、非不安定金属種は、典型的には、６ｍｏｌ・ｄｍ−３のＨＣｌ濃度を有する水性酸性相から芳香族石油溶媒中のジ−ｎ−オクチルスルフィドから本質的になる有機相に容易に抽出されない金属種として典型的には定義されうる。「容易に抽出されない」とは、典型的には、過剰のジ−ｎ−オクチルスルフィドが提供される場合に、６０分以内に不安定金属種の金属の５ｍｏｌ％未満が有機相に抽出されることを意味しうる。
【００３４】
当業者が理解するように、配位抽出剤という用語は、不安定金属種の金属原子と共有配位結合を形成することができる抽出剤を含む。典型的には、配位抽出剤は、非不安定金属種と実質的に相互作用しない。
【００３５】
当業者が理解するように、外圏抽出剤という用語は、金属種と相互作用して、金属種の金属原子と共有配位結合を形成することなくその抽出を行う抽出剤を含む。典型的には、この相互作用は、静電相互作用（例えば、イオン対形成）、水素結合、双極子間相互作用、ファンデルワールス相互作用、イオン間相互作用、イオン・双極子相互作用、溶媒和相互作用、ロンドン相互作用、及び双極子誘起双極子相互作用を含むが、共有結合を含まない。
【００３６】
外圏抽出剤は、不安定金属種（並びに非不安定金属種）を抽出することができるが、これは必須ではない。外圏抽出剤が不安定金属種を抽出することができる場合、本発明者等は、これが更なる利点を提供しうると考える。典型的には、外圏相互作用は、配位相互作用よりも速く生じる。本発明者等は、外圏抽出剤が含まれる場合、不安定金属種の有機相への移動速度を増加させることができることを見出した。理論に拘束されることを望まないが、これは、不安定金属種が最初に外圏抽出剤と相互作用し、配位抽出剤を使用して予想されるよりもはるかに速く有機相へのその移行をなすためであると考えられる。ひとたび有機相に入ると、それは配位抽出剤と錯体を形成すると考えられる。この反応はよりゆっくり起こるが、本発明者等は、有機相中に不安定金属種を保持し、ここに記載の有利な選択的ストリッピングを可能にするのは配位抽出剤とのこの相互作用であると考えている。当然ながら、不安定金属種の幾つかは、水性酸性相中の配位抽出剤とまた相互作用し、より一般的な配位抽出プロセスによって抽出されうる。
【００３７】
分離されるべき金属
本発明は、水性酸性相中に存在する不安定金属種と非不安定金属種を分離する方法を提供する。本発明により分離される不安定及び非不安定金属種の性質は特に限定されない。上で説明したように、本発明の根底にある本発明者等の認識は、不安定金属種と非不安定金属種の分離に一般に適用可能である。金属は、例えば遷移金属でありうる。
【００３８】
しかし、本発明者等は、本発明の方法が貴金属種の分離に特に適用可能であると考えている。ここで使用される場合、貴金属という用語は、金、銀及び白金族金属を指すものとする。白金族金属は、白金、パラジウム、ルテニウム、ロジウム、オスミウム及びイリジウムである。本発明の方法は、白金族金属種の分離に特に適している。従って、不安定金属種は白金族金属種でありうる。非不安定金属種は白金族金属種でありうる。
【００３９】
例えば、不安定金属は、Ｐｄ（ＩＩ）及びＡｕ（ＩＩＩ）から選択される一又は複数であり得、例えばＰｄ（ＩＩ）である。非不安定金属は、Ｐｔ（ＩＶ）、Ｐｔ（ＩＩ）、Ｉｒ（ＩＶ）、Ｉｒ（ＩＩＩ）、Ｏｓ（ＩＶ）、Ｒｕ（ＩＶ）、Ｒｕ（ＩＩＩ）及びＲｈ（ＩＩＩ）から選択される一又は複数でありうる。例えば、非不安定金属は、Ｐｔ（ＩＶ）、Ｉｒ（ＩＶ）、Ｏｓ（ＩＶ）及びＲｕ（ＩＶ）から選択される一又は複数でありうる。例えば、不安定金属はＰｄ（ＩＩ）であり、非不安定金属はＰｔ（ＩＶ）、Ｉｒ（ＩＶ）、Ｏｓ（ＩＶ）及びＲｕ（ＩＶ）から選択される一又は複数でありうる。
【００４０】
白金とパラジウムの分離のための改良された方法が特に必要であり、本発明はこれらの金属の分離に適している。従って、不安定金属種は、パラジウム種（例えば、ＩＩ酸化状態）であり得、及び／又は非不安定金属種は、白金種（例えば、ＩＶ酸化状態）でありうる。例えば、本発明の方法を使用してＰｔ（ＩＶ）をＰｄ（ＩＩ）から分離することができる。本発明の方法を使用して、Ｒｕ（ＩＩＩ）及び／又はＲｈ（ＩＩＩ）の存在下でＰｔ（ＩＶ）をＰｄ（ＩＩ）から分離することができる。
【００４１】
本発明の方法は、Ｉｒ（ＩＶ）をＡｕ（ＩＩＩ）から分離するために使用することができる。
【００４２】
本発明で使用される抽出剤は、有機相に有意には抽出されない追加の金属種の存在下で水性酸性相から不安定金属種と非不安定金属種を選択的に抽出しうる。例えば、各追加の金属種の分配係数は、好ましくは０．１以下、０．０１以下又は０．００１以下でありうる。これは、ゼロであってもよいし、又は例えば少なくとも０．０００１でありうる。典型的には、不安定金属と非不安定金属の分配係数は、これよりもかなり高いであろう。例えば、非不安定金属種を有機相に抽出するための分配係数は、典型的には、少なくとも２、少なくとも５、少なくとも１０、少なくとも２０、少なくとも３０、少なくとも４０、又は少なくとも５０であり、これよりかなり高い場合もある。実質的に全ての金属が抽出されるので、上限は無限になる傾向がある。同様に、不安定金属種を有機相に抽出するための分布係数は、典型的には、少なくとも２、少なくとも５、少なくとも１０、少なくとも２０、少なくとも３０、少なくとも４０又は少なくとも５０であり、これよりかなり高い場合がある。実質的に全ての金属が抽出されるので、上限は無限になる傾向がある。（当業者が理解するように、分配係数（ＤＡ＼Ｏ）は、有機相中の関連金属種の濃度を、水性酸性相中のその金属種の濃度で割ったものである）。
【００４３】
当業者は、追加の金属種の存在下で特定の金属種を選択的に抽出するのに適した配位抽出剤及び適切な外圏抽出剤を認識している。抽出剤の選択は、分離すべき金属の性質、特に（ｉ）不安定金属種、（ｉｉ）非不安定金属種及び（ｉｉｉ）存在する任意の追加の金属種の相対的な不安定性に依存する。例えば、欧州特許出願公開第０２１０００４号は、ＩＶの酸化状態を有する白金、イリジウム及びオスミウム種、ＩＩＩの酸化状態の金、及びそれが化合物ルテニウムニトロシルクロリド、［ＲｕＣｌ５ＮＯ］２−においてどの酸化状態を有するにせよルテニウムを選択的に抽出するのに適したモノ−Ｎ置換アミド抽出剤を記載している。しかしながら、抽出剤の選択性は、抽出される金属の酸化状態と、水性酸性相中の追加の金属の酸化状態に依存する。例えば、欧州特許出願公開第０２１０００４号は、そのモノ−Ｎ置換アミド抽出剤を使用して、
−  酸化状態ＩＶの白金は、酸化状態ＩＩのパラジウムに優先して抽出されうる；
−  酸化状態ＩＶのイリジウムは、酸化状態ＩＩＩのロジウムに優先して抽出されうる；そして
−  酸化状態ＩＶの白金は、酸化状態ＩＩＩのルテニウム、イリジウム及びオスミウム種に優先して抽出されうる（但し、Ｏｓ（ＩＩＩ）は典型的には空気の存在下で不安定である）
と説明している。
【００４４】
従って、特定の抽出剤の選択性は、抽出されるべき金属の酸化状態と、水性酸性相に残されることになる金属の酸化状態に依存しうることが分かる。当業者は、水性酸性相における金属種の酸化状態を調節するのに適した技術を知っている。例えば、欧州特許出願公開第０２１０００４号は、白金種にほとんど影響を与えないが、イリジウム、オスミウム及びルテニウム種がＩＩＩの酸化状態で存在することを確実にする緩和な還元剤で、酸性水溶液を処理することが通常であると説明している。適切な穏やかな還元剤としては、アセトン又はメチルイソブチルケトンが挙げられる。
【００４５】
本発明の方法は、不安定金属がＰｄ（ＩＩ）であり、非不安定金属が酸化状態ＩＶの白金族金属（Ｐｄ以外）であり、一又は複数の追加の金属種が水性酸性相に存在する場合に特に適している。特に好適な追加の金属種は、酸化状態ＩＩ又はＩＩＩ（好ましくはＩＩＩ）の白金族金属と、（例えば、酸化状態ＩＩ又はＩＩＩの）卑金属である。追加の金属種は、典型的には、用いられる外圏抽出剤によって実質的に抽出されず、用いられる配位抽出剤によって実質的に抽出されない種である。上で検討されたように、当業者は、追加の金属種の存在下で特定の金属種を選択的に抽出するための適切な配位抽出剤と適切な外圏抽出剤を認識している。
【００４６】
特に好ましい実施態様では、不安定金属種はパラジウム種（例えば酸化状態ＩＩ）で、非不安定金属種は白金種（例えば酸化状態ＩＶ）であり、白金種及びパラジウム種は、一又は複数の追加の貴金属種、例えば一又は複数の追加の白金族金属種をまた含む水性酸性相から選択的に抽出される。追加の貴金属種は、酸化状態ＩＩＩでありうる。追加の貴金属種は、イリジウム、ルテニウム及びロジウム種から選択される一又は複数でありうる。
【００４７】
不安定金属種はクロロ錯体であってもよい。非不安定金属種はクロロ錯体であってもよい。
【００４８】
水性酸性相
水性酸性相は、金属種が本発明の方法において抽出剤を使用して抽出される相である。
【００４９】
典型的には、水性酸性相のＨ＋濃度は、少なくとも３ｍｏｌ・ｄｍ−３又は少なくとも４ｍｏｌ・ｄｍ−３である。典型的には、水性酸性相のＨ＋濃度は、１０ｍｏｌ・ｄｍ−３以下、９ｍｏｌ・ｄｍ−３以下又は８ｍｏｌ・ｄｍ−３以下である。当業者が理解するように、使用される酸性度は、分離されるべき金属種と用いられる抽出剤とに依存するであろう。特に好ましいＨ＋濃度は４〜８ｍｏｌ・ｄｍ−３、より好ましくは５〜７ｍｏｌ・ｄｍ−３、又は５．５〜６．５ｍｏｌ・ｄｍ−３の範囲である。これは、Ｐｔ（ＩＶ）とＰｄ（ＩＩ）の分離に特に適している。
【００５０】
水性酸性相は、典型的にはＨＣｌを含む。典型的には、水性酸性相のＨＣｌ濃度は、少なくとも３ｍｏｌ・ｄｍ−３又は少なくとも４ｍｏｌ・ｄｍ−３である。典型的には、水性酸性相のＨＣｌ濃度は、１０ｍｏｌ・ｄｍ−３以下、９ｍｏｌ・ｄｍ−３以下又は８ｍｏｌ・ｄｍ−３以下である。特に好ましいＨＣｌ濃度は、４〜８ｍｏｌ・ｄｍ−３、より好ましくは５〜７ｍｏｌ・ｄｍ−３、又は５．５〜６．５ｍｏｌ・ｄｍ−３の範囲である。これは、Ｐｔ（ＩＶ）とＰｄ（ＩＩ）の分離に特に適している。
【００５１】
他の好適な酸には硫酸、過塩素酸及び硝酸が含まれ、これらは、好ましくは、上で特定されたＨ＋濃度を与えるのに適した濃度で存在する。
【００５２】
典型的には、不安定金属種と非不安定金属種は、約１５０ｇ・Ｌ−１以下、１２０ｇ・Ｌ−１以下、１１０ｇ・Ｌ−１以下、１００ｇ・Ｌ−１以下、７０ｇ・Ｌ−１以下、５０ｇ・Ｌ−１以下、２５ｇ・Ｌ−１以下又は１０ｇ・Ｌ−１以下の濃度で水性酸性相にそれぞれ存在する。それらは、少なくとも０．１ｇ・Ｌ−１、少なくとも０．５ｇ・Ｌ−１、少なくとも１ｇ・Ｌ−１又は少なくとも５ｇ・Ｌ−１の濃度で存在してもよい。濃度は金属種中の金属の質量に対するものである。
【００５３】
水性酸性相に存在する任意の追加の金属種（典型的には有機相中に実質的に抽出されない）は、例えば、それぞれ、少なくとも０．０５ｇ・Ｌ−１、少なくとも０．１ｇ・Ｌ−１又は少なくとも０．５ｇ・Ｌ−１の濃度で存在してもよい。それぞれの追加の金属種は、例えば、１００ｇ・Ｌ−１以下、５０ｇ・Ｌ−１以下、５５ｇ・Ｌ−１以下、１０ｇ・Ｌ−１以下、５ｇ・Ｌ−１以下、又は１ｇ・Ｌ−１以下の濃度で存在してもよい。濃度は金属種中の金属の質量に対するものである。
【００５４】
有機相と抽出剤
抽出剤は、水性酸性相から有機相中に金属を抽出するのに用いられる化合物である。従って、抽出剤は、典型的には水性酸性相に実質的に不溶性であり、有機相に可溶性である。
【００５５】
外圏抽出剤の性質は特に限定されない。以下の実施例において証明されるように、ある範囲の様々な外圏抽出剤を本発明の方法に用いることができる。
【００５６】
理論に束縛されることを望まないが、本発明者等は、幾つかのタイプの外圏抽出剤が水性酸性相の酸性のためプロトン化され、非不安定金属種（典型的には負に荷電した錯体イオンである）とのその外圏相互作用を容易にすると考える。従って、外圏抽出剤がプロトン化可能部分を含むことが好ましい。
【００５７】
参考文献２で検討されているように、外圏抽出剤（「陰イオン交換体」）は、強塩基抽出剤及び弱塩基抽出剤に分類することができる。強塩基抽出剤には、弱酸（例えば弱塩酸）中でも容易にプロトン化され、典型的には（例えば水酸化物を用いて）それらを脱プロトン化するためにアルカリ処理を必要とする抽出剤が含まれる。弱塩基抽出剤は、典型的には、プロトン化されるためには強酸（例えば、塩酸）との接触を必要とするが、水又は弱酸と接触すると容易に脱プロトン化される。このことは参考文献２において検討されており、出典明示によりその全体が、特に外圏抽出剤の挙動を説明するためにここに援用される。
【００５８】
本発明の方法では、不安定金属種が有機相から第一水溶液中にストリッピングされるとき、典型的には水又は弱酸が用いられる。水又は弱酸は、外圏抽出剤を脱プロトン化し、それによって、有機相中の非不安定金属種とのその相互作用を破壊すると考えられる。よって、非不安定金属種は、有機相から水又は弱酸に移動する。従って、好ましくは、外圏抽出剤は弱塩基抽出剤である。当業者はこの用語を容易に理解し、所与の抽出剤が弱塩基抽出剤であるかどうかを決定することができる。当業者が理解するように、典型的には、弱塩基抽出剤は、強酸との接触時に（例えば、ＨＣｌ濃度が３ｍｏｌ・ｄｍ−３以上の溶液との接触時に）容易にプロトン化されるプロトン化可能部分を含む。典型的には、プロトン化可能部分は、１ｍｏｌ・ｄｍ−３以下、例えば０．５ｍｏｌ・ｄｍ−３以下のＨＣｌ濃度を有する酸性溶液又は水との接触時に容易に脱プロトン化される。
【００５９】
適切なプロトン化可能部分としては、例えば、アミド部分、及びＰ＝Ｏ部分が挙げられる。特に好適な外圏抽出剤は、以下の表１に特定される。外圏抽出剤がアミン部分を含まないことが好ましい場合がある。
【００６０】
外圏抽出剤はアミド部分を含みうる。アミドは、第一級、第二級又は第三級アミドでありうる。より好ましくは、第二級又は第三級アミド部分である。幾つかの実施態様では、第二級アミド部分が最も好ましい。例えば、外圏抽出剤は、以下の式Ｉの化合物でありうる：
0006568118.tif 000007
ここで
Ｒ１及びＲ２は、Ｈ又は置換されていてもよいＣ１〜Ｃ２０炭化水素部分から独立して選択され；及び
Ｒ３は、置換されていてもよいＣ１〜Ｃ２０炭化水素部分である。
【００６１】
好ましくは、Ｒ１及びＲ２は、Ｈ又は置換されていてもよいＣ３〜Ｃ２０炭化水素部分から独立して選択され、Ｒ３は、置換されていてもよいＣ１〜Ｃ２０炭化水素部分である。
【００６２】
Ｒ１及びＲ２の少なくとも一方はＨであることが好ましい場合がある。Ｒ１及びＲ２の少なくとも一方は、置換されていてもよいＣ３〜Ｃ２０炭化水素部分であることが好ましい場合がある。Ｒ１及びＲ２は、Ｈ又は置換されていてもよいＣ５〜Ｃ２０炭化水素部分から独立して選択されることが好ましい場合がある。Ｒ１及びＲ２は、Ｈ又は置換されていてもよいＣ５〜Ｃ１５炭化水素部分から独立して選択されることが好ましい場合がある。
【００６３】
Ｒ３は、置換されていてもよいＣ１〜Ｃ１５炭化水素部分であることが好ましい場合がある。
【００６４】
Ｒ１、Ｒ２及びＲ３における一緒にした炭素原子の総数は、少なくとも１０個、少なくとも１５個又は少なくとも１６個であることが好ましい場合がある。
【００６５】
好ましい実施態様では、
Ｒ１は置換されていてもよいＣ８〜Ｃ１８アルキルであり；
Ｒ２はＨであり；及び
Ｒ３は置換されていてもよいＣ８〜Ｃ１８アルキルである。
【００６６】
好ましい実施態様では、
Ｒ１は置換されていてもよいＣ１０〜Ｃ１５アルキルであり；
Ｒ２はＨであり；及び
Ｒ３は、置換されていてもよいＣ１０〜Ｃ１５アルキルである。
【００６７】
好ましい実施態様では、
Ｒ１は置換されていてもよいＣ３〜Ｃ１５アルキルであり；
Ｒ２は置換されていてもよいＣ３〜Ｃ１５アルキルであり；及び
Ｒ３は置換されていてもよいＣ１〜Ｃ５アルキルであり、場合によってはＲ１、Ｒ２及びＲ３における一緒にした炭素原子の総数は、少なくとも１０又は少なくとも１５である。
【００６８】
好ましい実施態様では、
Ｒ１は置換されていてもよいＣ５〜Ｃ１０アルキルであり；
Ｒ２は置換されていてもよいＣ５〜Ｃ１０アルキルであり；及び
Ｒ３は置換されていてもよいＣ１〜Ｃ４アルキルであり、場合によってはＲ１、Ｒ２及びＲ３における一緒にした炭素原子の総数は、少なくとも１１、少なくとも１２又は少なくとも１５である。
【００６９】
Ｒ１、Ｒ２及びＲ３の一又は複数、例えば、各々が未置換であることが好ましい場合がある。
【００７０】
外圏抽出剤は、Ｐ＝Ｏ部分を含みうる。例えば、外圏抽出剤は、有機ホスフェート、ホスホネート又はホスフィネート（例えば、アルキルホスフェート、アルキルホスホネート又はアルキルホスフィネート）又は有機ホスフィンオキシド（例えば、アルキルホスフィンオキシド）部分を含みうる。
【００７１】
例えば、外圏抽出剤は、以下の式ＩＩの化合物であってもよい：
0006568118.tif 000008
ここで
各Ｒ４は、置換されていてもよいＣ３〜Ｃ２０炭化水素部分及び−ＯＲ５から独立して選択され、各Ｒ５は、置換されていてもよいＣ２〜Ｃ２０炭化水素部分である。
【００７２】
各Ｒ４は、独立して、置換されていてもよいＣ３〜Ｃ１５炭化水素部分、例えば置換されていてもよいＣ４〜Ｃ１５炭化水素部分又は置換されていてもよいＣ５〜Ｃ１０炭化水素部分であることが好ましい場合がある。
【００７３】
各Ｒ４は、独立して、−ＯＲ５であり、ここで各Ｒ５は、置換されていてもよいＣ２〜Ｃ２０炭化水素部分、例えば置換されていてもよいＣ３〜Ｃ１５又はＣ３〜Ｃ１０炭化水素部分であることが好ましい場合がある。
【００７４】
好ましい実施態様では、各Ｒ４は、独立して、置換されていてもよいＣ５〜Ｃ１０アルキルであるか、又は−ＯＲ５であり、ここで各Ｒ５は、置換されていてもよいＣ３〜Ｃ１０アルキルである。特に好ましい実施態様では、各Ｒ４は、Ｃ５〜Ｃ１０アルキルである。
【００７５】
幾つかの実施態様では、一又は複数、例えばそれぞれのＲ４及びＲ５は未置換であるのが好ましい。
【００７６】
幾つかの実施態様では、外圏抽出剤がアミン基を含まないことが好ましい場合がある。
【００７７】
本発明において配位抽出剤の性質は特に限定されない。それは、不安定金属種の金属原子と共有配位結合を形成可能な部分を含む。
【００７８】
好ましくは、配位抽出剤は硫黄原子を含む。例えば、それは、チオール、チオエーテル、チオケトン、チオアルデヒド、ホスフィンスルフィド及びチオホスフェートからなる群から選択される一又は複数の官能基を含みうる。より好ましくは、配位抽出剤は、チオエーテル及びホスフィンスルフィドから選択される一又は複数の官能基を含む。
【００７９】
例えば、配位抽出剤は、以下の式ＩＩＩに従う化合物でありうる：
0006568118.tif 000009
ここで、各Ｒ６は、置換されていてもよいＣ２〜Ｃ２０炭化水素部分及び−ＯＲ７から独立して選択され、各Ｒ７は、置換されていてもよいＣ２〜Ｃ２０炭化水素部分である。
【００８０】
各Ｒ６は、独立して、置換されていてもよいＣ２〜Ｃ１５炭化水素部分、例えば置換されていてもよいＣ２〜Ｃ１５炭化水素部分又は置換されていてもよいＣ３〜Ｃ８炭化水素部分であることが好ましい場合がある。例えば、各Ｒ６は、好ましくは、置換されていてもよいＣ２〜Ｃ１５アルキル、又はより好ましくは置換されていてもよいＣ３〜Ｃ８アルキルでありうる。
【００８１】
各Ｒ６は、独立して、−ＯＲ７であり、ここで、各Ｒ７は、置換されていてもよいＣ２〜Ｃ２０炭化水素部分、例えば置換されていてもよいＣ２〜Ｃ１５又はＣ３〜Ｃ８炭化水素部分であることが好ましい場合がある。例えば、各Ｒ７は、好ましくは置換されていてもよいＣ２〜Ｃ１５アルキル、又はより好ましくは置換されていてもよいＣ３〜Ｃ８アルキルでありうる。
【００８２】
幾つかの実施態様では、一又は複数、例えばそれぞれのＲ６及びＲ７は未置換であることが好ましい。
【００８３】
配位抽出剤は、以下の式ＩＶに従う化合物でありうる：
0006568118.tif 000010
ここで、Ｒ８は、Ｈ及び置換されていてもよいＣ１〜Ｃ２０炭化水素部分から選択され、Ｒ９は、置換されていてもよいＣ１〜Ｃ２０炭化水素部分である。Ｒ８は、Ｈ及び置換されていてもよいＣ３〜Ｃ１５炭化水素部分、より好ましくは置換されていてもよいＣ５〜Ｃ１０炭化水素部分から選択されうる。Ｒ９は、置換されていてもよいＣ３〜Ｃ１５炭化水素部分、より好ましくは置換されていてもよいＣ５〜Ｃ１０炭化水素部分でありうる。好ましくは、Ｒ８は、置換されていてもよい炭化水素部分である。例えば、Ｒ８及びＲ９の両方は、置換されていてもよいＣ３〜Ｃ１５アルキル、より好ましくは置換されていてもよいＣ５〜Ｃ１０アルキルでありうる。一緒にしたＲ８及びＲ９中の炭素原子の総数は少なくとも５個、少なくとも６個、少なくとも１０個、少なくとも１２個又は少なくとも１６個であることが好ましい場合がある。
【００８４】
幾つかの実施態様では、Ｒ８及びＲ９は未置換であることが好ましい。
【００８５】
ここで使用される場合、置換されていてもよいなる用語は、１、２、３、４又はそれ以上の水素原子が他の官能基で置換されている部分を含む。適切な官能基には、−ＯＨ、−ＳＨ、−ＯＲ１１、−ＳＲ１１、−Ｈａｌ、−ＮＲ１１Ｒ１１、Ｃ（Ｏ）ＣＯＲ１１、−ＯＣ（Ｏ）Ｒ１１、−ＮＲ１１Ｃ（Ｏ）Ｒ１１及びＣ（Ｏ）ＮＲ１１Ｒ１１が含まれ、各Ｒ１１は独立してＨ又はＣ１〜Ｃ１０アルキル又はアルケニルであり、各−Ｈａｌは独立して−Ｆ、−Ｃｌ及び−Ｂｒから選択され、例えば−Ｃｌである。外圏抽出剤の場合、抽出剤は硫黄原子を含まないか、及び／又はアミン基を含まないことが好ましい場合がある。例えば、適切な置換基官能基には、−ＯＨ、−ＯＲ１１、−Ｈａｌ、Ｃ（Ｏ）ＣＯＲ１１、−ＯＣ（Ｏ）Ｒ１１、−ＮＲ１１Ｃ（Ｏ）Ｒ１１及びＣ（Ｏ）ＮＲ１１Ｒ１１が含まれ、各Ｒ１１は独立してＨ又はＣ１〜Ｃ１０アルキル又はアルケニルであり、各−Ｈａｌは、−Ｆ、−Ｃｌ及び−Ｂｒから独立して選択され、例えば−Ｃｌである。
【００８６】
ここで使用される場合、炭化水素部分という用語は、アルキル（シクロアルキルを含む）、アルケニル、アルキニル、アリール及びアルカリール及びアラルキルを含むことが意図される。炭化水素部分は、直鎖であっても分枝鎖であってもよい。炭化水素部分は、アルキル、アリール、アルカリール又はアラルキルであることが好ましく、直鎖又は分枝鎖であってもよいアルキルであることがより好ましい。
【００８７】
有機相は、典型的には、錯化抽出剤及び外圏抽出剤に加えて希釈剤を含む。溶媒抽出プロセスでは広範囲の希釈剤が一般的に使用され、希釈剤の性質は、本発明では特に限定されない。錯化抽出剤と外圏抽出剤は両方とも希釈剤に可溶性でなければならない。適切な希釈剤には、Ｓｏｌｖｅｓｓｏ１５０及びＳｈｅｌｌｓｏｌ Ｄ７０などの芳香族石油溶媒、又は２，６−ジメチル−４−ヘプタノンなどのケトン類が含まれるが、他の有機溶媒（例えば脂肪族又は芳香族炭化水素溶媒及びアルコール）が適している。典型的には、希釈剤は、処理に都合の良い粘度、高引火点及び／又は低揮発度を与えるように選択される。
【００８８】
典型的には、配位抽出剤は、有機相中に約０．０３〜０．０４Ｍの濃度で存在する。例えば、配位抽出剤は、少なくとも０．０１Ｍ、少なくとも０．０２Ｍ又は少なくとも０．０３Ｍの濃度で存在しうる。有機相中の配位抽出剤の濃度に特に上限はない。以下の実施例は、配位抽出剤が低濃度で有利に使用され得、なおも不安定金属種の優れた抽出度を提供することを実証している。配位抽出剤は、１Ｍ以下、０．２Ｍ以下、又は０．１Ｍ以下の濃度で存在することが好ましい場合がある。配位抽出剤の濃度は、典型的には不安定金属種の配位数を満たすように選択され、よって水性酸性相における不安定金属種の種類及び濃度に依存しうる。
【００８９】
典型的には、外圏抽出剤は、０．５Ｍ〜２．５Ｍの濃度で有機相中に存在する。例えば、外圏抽出剤は、少なくとも０．１Ｍ、０．２Ｍ又は０．３Ｍの濃度で存在しうる。外圏抽出剤の濃度に対する特定の上限はないが、外圏抽出剤が５Ｍ以下、３Ｍ以下、又は１Ｍ以下の濃度で有機相中に存在することが好ましい場合がある。
【００９０】
幾つかの実施態様では、特に排他的ではないが、外圏抽出剤が式ＩＩの化合物である場合（例えば、各Ｒ４が独立して−ＯＲ５である場合）、外圏抽出剤が少なくとも１Ｍ、少なくとも１．２Ｍ又は少なくとも１．５Ｍの濃度で存在することが好ましい場合がある。これは、例えば、外圏抽出剤がリン酸トリブチルである場合に好ましい場合がある。
【００９１】
有機相は、例えば有機相の粘度を変更（例えば低下）させるため、水性相からの有機相の分離を促進するため、及び／又は水性相内の相分離を抑制するために用いることができる溶媒抽出改質剤をまた含みうる。当業者は、例えば、アルコール、フェノール、又はリン酸トリブチルなどの有機リン酸エステルを含む、適切な溶媒抽出改質剤を知っているであろう。何れの溶媒抽出改質剤も、典型的には、それぞれ０．９Ｍ以下、好ましくは０．７Ｍ以下の濃度で有機相中に存在する。
【００９２】
（当業者が容易に理解するように、ここで検討される有機相の特徴は、本発明の第二、第三及び第四の態様の溶媒抽出混合物に等しく適用可能である。）
【００９３】
分離プロセス
本発明の方法の工程（ａ）において、水性酸性相を有機相と接触させ、不安定金属及び非不安定金属を有機相中に抽出する。典型的には、水性酸性相中に存在する不安定金属の実質的に全てが有機相中に抽出される。例えば、少なくとも９５％、少なくとも９９％又は少なくとも９９．５％が抽出される。幾つかの実施態様では、僅かに低い割合の非不安定金属が有機相に抽出される。例えば、少なくとも９０％、少なくとも９５％、少なくとも９７％又は少なくとも９８％が抽出される。抽出の度合いは、例えば水性酸性相と有機相との間の接触時間及び／又は接触数を増加させることによって、あるいは以下により詳細に示されるように水性酸性フィードの酸性度を調節することによって、増加させることができる。一回、二回、三回又はそれ以上の抽出工程を含めることができる。
【００９４】
抽出工程後に、有機相を任意にスクラビングすることができる。典型的には、これは、有機相を（水性酸性相と接触させた後）、水性酸性相と同様の（例えば同じ）酸性度を好ましくは有する水性スクラビング液と接触させることによって、行われる。典型的には、スクラビング水溶液のＨ＋濃度は水性酸性相のＨ＋濃度の１Ｍ以内、より好ましくは０．５Ｍ以内である。スクラビングは、有利には、有機相中に不用意に抽出された任意の追加の金属を、ストリッピング工程（工程（ｂ））の前に有機相から取り除くことを可能にする。一回、二回、三回又はそれ以上のスクラビング工程が含まれうる。スクラビング工程はまた有機相から混入した液体を除去するのに役立つ場合がある。スクラビング溶液はＨＣｌを含んでいてもよい。
【００９５】
本発明の選択的ストリッピング工程では、非不安定金属種は、水又は酸性ストリッピング水溶液を使用して有機相から選択的にストリッピングされ、非不安定金属種を含有する第一水溶液を提供する。典型的には、第一水溶液は、不安定金属種を実質的に含まない。例えば、それは、１０ｍｇ・Ｌ−１以下、５ｍｇ・Ｌ−１以下、又は２ｍｇ・Ｌ−１以下の不安定金属種を含みうる。第一水溶液は、１０ｍｇ・Ｌ−１以下、５ｍｇ・Ｌ−１以下、又は２ｍｇ・Ｌ−１以下の追加の金属種を含みうる。濃度は金属種中の金属の質量に対するものである。
【００９６】
典型的には、酸性ストリッピング水溶液は、不安定金属種と非不安定金属種が抽出される水性酸性相よりも酸性が低い。例えば、酸性ストリッピング水溶液は、水性酸性相のＨ  ＋濃度よりも少なくとも１Ｍ低いＨ＋濃度を有しうる。例えば、酸性ストリッピング水溶液のＨ＋濃度は、典型的には４Ｍ以下、３Ｍ以下、又は２Ｍ以下でありうる。実施例において証明されるように、約１Ｍ又は０．１ＭのＨ＋濃度が特に適切でありうる。ストリッピング溶液はＨＣｌを含みうる。
【００９７】
有機相から非不安定金属を選択的にストリッピングするために水が使用されようと又は酸性の水性酸性相が使用されようと、それは典型的には７以下のｐＨを有する。非不安定金属の回収を最大化するために、一回、二回、三回又はそれ以上のストリッピング操作を実施することができる。
【００９８】
ストリッピング工程の後、有機相は場合によっては水で洗浄されうる。これにより、任意の混入した酸が有機相から不安定金属種の選択的ストリッピングに使用された溶液中へ移動するのを避けることができる。洗浄に使用される水は、非不安定金属の回収を最大にするために、場合によっては第一水溶液と組み合わせることができる。
【００９９】
本発明の選択的ストリッピング工程では、不安定金属種は、不安定金属と錯化可能な錯化試薬を含む水性相を使用して有機相から選択的にストリッピングされ、不安定金属種を含む第二水溶液が提供される。
【０１００】
錯化試薬は、不安定金属種の金属原子と共有配位結合を形成することができる部分を含む。従って、錯化試薬は、典型的には、不安定金属種の金属原子と共有配位結合を形成することができる孤立電子対を有する原子を含むことが理解されよう。例えば、該部分は、不安定金属種の金属原子と共有配位結合を形成することができる窒素原子を含みうる。該部分は、不安定金属種の金属原子と共有配位結合を形成することができる硫黄原子を含みうる。該部分は、不安定金属種の金属原子と共有配位結合を形成することができる酸素原子を含みうる。該部分は、不安定金属種の金属原子と共有配位結合を形成することができるリン原子を含みうる。特に好適な錯化試薬には、アンモニア、アミン部分を含む化合物（例えば第一級又は第二級アミン）、オキシム部分を含む化合物、−Ｃ＝Ｓ部分を含む化合物、−Ｓ＝Ｏ部分を含む化合物及びＣ＝Ｏ部分を含む化合物が含まれ、特にアンモニア、オキシム部分を含む化合物、−Ｃ＝Ｓ部分を含む化合物、及び−Ｓ＝Ｏ部分を含む化合物が含まれる。例えば、錯化試薬は、アンモニア、オキシム（例えば、アセトアルデヒドオキシム）、亜硫酸塩（例えば、亜硫酸アンモニウム）又はチオ尿素でありうる。
【０１０１】
錯化試薬は、不安定金属種を第二水溶液に引き込むことができるように、水溶性である。  典型的には、錯化試薬は、ストリッピング反応の平衡が不安定金属の水性相への移動を促進するのに十分高い濃度で水性相中に存在する。例えば、水性相中の錯化試薬の濃度は、典型的には少なくとも１Ｍ、少なくとも２Ｍ又は少なくとも３Ｍである。特に好適な濃度は３Ｍ〜９Ｍの範囲である。
【０１０２】
典型的には、第二水溶液は、非不安定金属種を実質的に含まない。例えば、それは１０ｍｇ・Ｌ−１以下、５ｍｇ・Ｌ−１以下、又は２ｍｇ・Ｌ−１以下の非不安定金属種を含みうる。第二水溶液は、１０ｍｇ・Ｌ−１以下、５ｍｇ・Ｌ−１以下、又は２ｍｇ・Ｌ−１以下の追加の金属種を含みうる。濃度は金属種中の金属の質量に対するものである。
【０１０３】
典型的には、本発明の方法は室温で実施される。
【実施例】
【０１０４】
次の実施例は、以下の表１に示される抽出剤の組み合わせに対する本発明の有効性を実証する。
0006568118.tif 000011
【０１０５】
実施例１
原料水溶液の調製
白金族金属を含有する水性原料を、以下の表２に示す濃度で調製した：
0006568118.tif 000012
この原液を抽出実験に使用するために１００倍に希釈した。
【０１０６】
抽出剤の調製
Ｎ−（ｎ−プロピル）−イソヘキサデカミドの合成を記載している欧州特許第０２１０００４号の実施例１に類似した方法によって、Ｎ−（イソ−トリデシル））イソトリデカンアミドを調製した。
（欧州特許第０２１０００４号の内容は、その全体が、全ての目的のため、特にモノ−Ｎ置換アミド抽出剤の合成を記載する目的で、また貴金属種の抽出を記載し定義する目的で、ここに援用される。）
ジ−ｎ−オクチルスルフィド（ＤＯＳ）は、Ａｌｆａ Ａｅｓａｒ，ジョンソンマッセイ社から市販されている。そのＣＡＳ番号は２６９０−０８−６である。
【０１０７】
有機相の調製
Ｓｈｅｌｌｓｏｌ Ｄ７０中の１Ｌの０．５ＭのＮ−（イソ−トリデシル））イソトリデカンアミド、１５％のリン酸トリブチル（ＴＢＰ）、１％（ｗ／ｖ）のＤＯＳを、Ｓｈｅｌｌｓｏｌ Ｄ７０中の５０％（ｖ／ｖ）のＮ−（イソ−トリデシル）イソトリデカンアミド４５４ｍＬ、ＴＢＰ１５０ｇ、ＤＯＳ１０ｇを混合することにより調製し、Ｓｈｅｌｌｓｏｌ Ｄ７０で容量調整した。
Ｓｈｅｌｌｓｏｌ Ｄ７０は、シェルケミカルズ社，ＵＫから市販されている。
ＴＢＰは、Ａｌｆａ Ａｅｓａｒ，ジョンソンマッセイ社から市販されている。そのＣＡＳ番号は１２６−７３−８である。
【０１０８】
異なる酸性度でのＰｔ及びＰｄの抽出
異なる酸性度のフィードからの白金及びパラジウム種の抽出
上述のようにして調製した原料液を使用して、以下に記載のフィードを調製した：
４Ｍ ＨＣｌフィード：
２ｍＬの原料、１３１ｍＬの６Ｍ ＨＣｌを脱イオン水（２００ｍＬ）で容量調整した。
８Ｍ ＨＣｌフィード：
２ｍＬの原料及び１３８ｍＬの濃ＨＣｌを脱イオン水（２００ｍＬ）で容量調整した。
６Ｍ ＨＣｌフィード：
５ｍＬの原料を６Ｍ ＨＣｌ（５００ｍＬ）で容量調整した。
【０１０９】
３通りのフィード酸性度のそれぞれに対する溶媒抽出手順は、２分間の混合による、フィードから等容量の有機相中へのＰｔ及びＰｄの一回の抽出を含んでいた。ついで、金属含有有機相を、適切なフィードと同じ濃度の新しい塩酸水溶液を等量用いる２回のスクラビング工程に供し、再び２分間混合した。その後、Ｐｔを、２分間の混合により、有機相から等容量の希塩酸水溶液（０．１Ｍ）中に選択的にストリッピングした。ストリッピングプロセスを繰り返した。有機相を、２分間の混合により、等容量の清浄な水で洗浄した。Ｐｄを、有機相を等容量の水酸化アンモニウム水溶液（６Ｍ）と混合することによって、有機相から選択的にストリッピングした。
【０１１０】
４、６及び８ＭのＨＣｌでの実験による各水溶液に対する結果を、それぞれ表３、４及び５に示す。誘導結合プラズマ質量分析法（ＩＣＰ分析）を使用して金属種の濃度を決定した。このデータは、この実施例で用いられた抽出剤が、ある範囲の酸性度にわたって他のＰＧＭからＰｔ及びＰｄを選択的に抽出することを示している。また、Ｐｔが有機相から選択的にストリッピングされ得、続いてＰｄの選択的ストリッピングが続くことが証明されている。Ｐｔ回収率を最大にするために水洗浄をＰｔストリッピング溶液と組み合わせることができた。
【０１１１】
0006568118.tif 000013
【０１１２】
0006568118.tif 000014
【０１１３】
0006568118.tif 000015
【０１１４】
表６と図１は、Ｐｔ、Ｉｒ、Ｒｈ及びＲｕに対する分配係数（水性分析に基づいて算出）ＤＡ＼Ｏを示す（Ｐｄはその分配係数が非常に大きいため除外されている）。分配係数は、有機相中の金属種の濃度を、水性相中の金属種の濃度で割ったものである。有機相中の濃度は、水性分析に基づいて計算されている。これは、最大のＰｔ抽出が６ＭのＨＣｌで生じることを実証している。全ての場合において、Ｉｒ、Ｒｈ及びＲｕの抽出は非常に低く、Ｐｔ及びＰｄに対する選択性を証明している。
【０１１５】
0006568118.tif 000016
【０１１６】
異なる酸性度でのＰｔストリッピング
上述のようにして調製された有機相及び６ＭのＨＣｌフィードを使用し、Ｐｔストリッピングのための最も適切な酸性度を調べた。
ある容量の新しい有機溶液を、６ＭのＨＣｌ濃度で等容量のフィード液と２分間混合した。ついで、等容量の新しい水性６Ｍ ＨＣｌと混合することにより、有機相を２回スクラビングした。結果を表７に示す。
【０１１７】
0006568118.tif 000017
【０１１８】
有機相を部分に分割して、異なるＰｔストリッピング溶液に供した：具体的には、水と０．１Ｍ、０．５Ｍ、１．０Ｍ及び３．０Ｍ濃度のＨＣｌ。
各ストリッピング条件に対する各ストリッピング水溶液中のＰｔ濃度を表８に示す。有機相中に残存するＰｔ濃度を図３に示す。濃度はＩＣＰ分析によって決定した。有機相中の濃度は、水性分析に基づいて計算されている。このデータは、Ｐｔストリッピングは、低酸性度での一回目のストリッピングにおいて最も効果的であることを示している。
【０１１９】
0006568118.tif 000018
【０１２０】
異なる溶液中への１回目のＰｔストリッピングに対する分配係数ＤＡ＼Ｏを表９にまとめ、図２に示す。このデータは、低酸性度下で最良のストリッピング（最も低いＤＡ＼Ｏ）が生じることを強調している。
0006568118.tif 000019
分配係数は３ＭのＨＣｌ（３．００）で最も高く、非常に乏しいストリッピングを示す一方、水中へのストリッピングは最も低く（０．１３）、良好なストリッピングを示した。０、０．１、０．５及び１．０ＭのＨＣｌにおける分配係数は非常に類似していた。
【０１２１】
実施例２
有機相の調製
２５ｇのＣｙａｎｅｘ９２３を秤量して１００ｍＬの容量フラスコに入れ、約５０ｍＬのＳｏｌｖｅｓｓｏ１５０を加えて混合した。１ｇのＤＯＳを混合物に加え、Ｓｏｌｖｅｓｓｏ１５０で最終容量を１００ｍＬまで調整した。
ジ−ｎ−オクチルスルフィド（ＤＯＳ）は、Ａｌｆａ Ａｅｓａｒ，ジョンソンマッセイ社から市販されている。そのＣＡＳ番号は２６９０−０８−６である。
Ｃｙａｎｅｘ９２３は、Ｃｙｔｅｃから市販されている。それは、ヘキシル及びオクチルホスフィンオキシドの混合物である。
Ｓｏｌｖｅｓｓｏ１５０は、Ｂｒｅｎｎｔａｇから市販されている。そのＣＡＳ番号は６４７４２−９４−５である。
【０１２２】
溶媒抽出プロセス
表２を参照して実施例１に記載の原料水溶液を１００倍希釈してフィードを調製した。
溶媒抽出手順は、２分間の混合による、フィードから等容量の有機相中へのＰｔ及びＰｄの一回の抽出を含んでいた。ついで、金属含有有機相を、フィードと同じ濃度の新しい塩酸水溶液（６Ｍ ＨＣｌ）を等容量用いる２回のスクラビング工程に供し、再び２分間混合した。その後、Ｐｔを、２分間の混合により、有機相から等容量の希塩酸水溶液（０．１Ｍ）中に選択的にストリッピングした。ストリッピングプロセスを繰り返した。有機相を、２分間の混合により、等容量の清浄な水で洗浄した。Ｐｄを、有機相を等容量の水酸化アンモニウム水溶液（６Ｍ）と混合することによって、有機相から選択的にストリッピングした。溶媒抽出プロセス中に第三相が出現した。
溶媒抽出プロセス中のＩＣＰ分析の結果を、以下の表１０に示す。
【０１２３】
0006568118.tif 000020
【０１２４】
Ｐｔは、低酸度にではなく水洗浄にストリッピングされ、水又は非常に低い酸濃度がストリッピングを行うのに必要とされることを示している。これは、外圏抽出剤（Ｃｙａｎｅｘ９２３）の性質によるものと考えられる。該結果は、この系が低酸度ではなくむしろ水中に直接ストリッピングされることが好ましいことを示している。Ｐｄストリッピングは完全ではなかったが、理論に縛られることを望むものではないが、本発明者等は、これは、Ｐｔが一回のストリッピングによって水中へは十分にはストリッピングされなかったので、ただ一回の水中へのストリッピングの後に有機中に過剰のＰｔが残っている結果であるかもしれないと考える。
該結果は、Ｃｙａｎｅｘ９２３とＤＯＳの混合物がＰｔとＰｄの両方を抽出し、抽出されたＰｔとＰｄは有機相から選択的にストリッピングされうることを示している。
【０１２５】
実施例３
有機相の調製
５０ｇのリン酸トリブチルと１ｇのＣｙａｎｅｘ４７１Ｘ固形物を秤量して１００ｍＬの容量フラスコに入れ、Ｓｏｌｖｅｓｓｏ１５０で１００ｍＬの容量に調整した。
リン酸トリブチル（ＴＢＰ）は、Ａｌｆａ Ａｅｓａｒ，ジョンソンマッセイ社から市販されている。そのＣＡＳ番号は１２６−７３−８である。
Ｃｙａｎｅｘ４７１ＸはＣｙｔｅｃから市販されている。
Ｓｏｌｖｅｓｓｏ１５０は、Ｂｒｅｎｎｔａｇから市販されている。そのＣＡＳ番号は６４７４２−９４−５である。
【０１２６】
溶媒抽出プロセス
上に記載されたようにして調製されたＴＢＰとＣｙａｎｅｘ４７１Ｘを含有する有機相を使用して、上記の実施例２に記載の手順を使用して溶媒抽出プロセスを実施した。溶媒抽出プロセス中のＩＣＰ分析の結果を以下の表１１に示す。
【０１２７】
0006568118.tif 000021
【０１２８】
その結果は、ＴＢＰとＣｙａｎｅｘ４７１Ｘの混合物がＰｔとＰｄの両方を抽出し、抽出されたＰｔとＰｄが有機相から選択的にストリッピングされうることを示している。
有意なＰｔが抽出後にラフィネート中に残ったが、これは、複数回の抽出工程を含めることによって対処することができた。同様に、複数回の抽出工程は、ラフィネート中に残存するＰｄの量を減少させるはずである。
【０１２９】
実施例４
Ｎ，Ｎ−ジオクチル−アセトアミドの調製
ジ−ｎ−オクチルアミン（９８％、１２５．２ｍＬ、０．４１ｍｏｌ）とトリエチルアミン（２９．２ｍＬ、０．４１ｍｏｌ）のクロロホルム（１５０ｍＬ）溶液を氷冷水上の三つ口フラスコ中で撹拌した。クロロホルム（５０ｍＬ）中の塩化アセチル（＞９９％、２９．２ｍＬ、０．４１ｍｏｌ）を、均圧漏斗を介して３０分間かけて滴下した。濃いクリーム色の混合物を室温まで温めてから、還流下で２．５時間撹拌した。得られた金色の溶液を蒸発濃縮し、ｎ−ヘキサンで希釈し、濾過し、脱イオン水（３００ｍＬ）、６ＭのＨＣｌ（３００ｍＬ）、脱イオン水（３００ｍＬ）及び飽和炭酸ナトリウム水溶液（３００ｍＬ）で洗浄した。有機相を硫酸マグネシウムで乾燥させ、濾過し、減圧濃縮した。収量：８１．３ｇ（７０％）。
【０１３０】
有機相の調製
１４．１５ｇのＮ，Ｎ−ジオクチルアセトアミドと１ｇのジ−ｎ−ヘキシルスルフィド（ＤＨＳ）を秤量して１００ｍＬの容量フラスコに入れ、Ｓｏｌｖｅｓｓｏ１５０で１００ｍＬの容量に調整した。
ジ−ｎ−ヘキシルスルフィドは、Ａｌｆａ Ａｅｓａｒ，ジョンソンマッセイ社から市販されている。そのＣＡＳ番号は６２９４−３１−１である。
Ｓｏｌｖｅｓｓｏ１５０は、Ｂｒｅｎｎｔａｇから市販されている。そのＣＡＳ番号は６４７４２−９４−５である。
【０１３１】
溶媒抽出プロセス
上述のようにして調製されたＮ，Ｎ−ジオクチルアセトアミドとＤＨＳを含有する有機相を使用して、上記の実施例２に記載の手順を使用して溶媒抽出プロセスを実施した。溶媒抽出プロセス中のＩＣＰ分析の結果を、以下の表１２に示す。
【０１３２】
0006568118.tif 000022
【０１３３】
該結果は、Ｎ，Ｎ−ジオクチルアセトアミドとＤＨＳの混合物がＰｔとＰｄの両方を抽出し、抽出されたＰｔとＰｄは有機相から選択的にストリッピングされうることを示している。
【０１３４】
実施例５
有機相の調製
Ｓｈｅｌｌｓｏｌ Ｄ７０中５０％（ｖ／ｖ）のＮ−（イソ−トリデシル）イソトリデカンアミド４５４ｍＬ、ＴＢＰ１５０ｇ、ＤＯＳ１０ｇを混合することにより、Ｓｈｅｌｌｓｏｌ Ｄ７０中の１Ｌの０．５ＭのＮ−（イソ−トリデシル）イソトリデカンアミド、１５％のＴＢＰ１％（ｗ／ｖ）ＤＯＳを調製し、Ｓｈｅｌｌｓｏｌ Ｄ７０で容量調整した。
【０１３５】
水性相の調製
表２を参照して実施例１に記載の原料水溶液を１００倍希釈してフィードを調製した。
【０１３６】
溶媒抽出プロセス
溶媒抽出手順は、２分間の混合による、フィードから等容量の有機相へのＰｔ及びＰｄの一回の抽出を含んでいた。ついで、金属含有有機相を、適切なフィードと同じ濃度の新しい塩酸水溶液を等容量用いる２回のスクラビング工程に供し、再び２分間混合した。その後、Ｐｔを、２分間の混合により、有機相から等容量の希塩酸水溶液中に選択的にストリッピングした。ストリッピングプロセスを２回繰り返した。有機相を、２分間の混合により、等容量の清浄な水で洗浄した。Ｐｄを、有機相を表１３に詳細に示した等容量の様々な水性ストリッピング試薬と混合することによって、有機相から選択的にストリッピングした。
【０１３７】
0006568118.tif 000023
【０１３８】
これは、チオ尿素、亜硫酸アンモニウム及びアンモニア水が、Ｐｄをストリッピングするための好適な配位試薬であることを実証している。アンモニウムイオンはＰｄに配位する孤立電子対を持たないので、塩化アンモニウムは不適切であると考えられる。本発明者等は、亜硫酸アンモニウムの実施例において配位試薬として作用しているのは亜硫酸塩種であると考える。
【０１３９】
実施例６
水溶液の調製
金（ＩＩＩ）及びイリジウム（ＩＶ）を含む水性原料を、以下の表１４に示すような、Ａｕ及びＩｒ濃度で、塩酸（６Ｍ）中で調製した：
0006568118.tif 000024
【０１４０】
有機相の調製
Ｍｕｌｔｉｓｏｌｖｅ１５０中の１００ｍＬの５０％（ｗ／ｖ）リン酸トリブチル（ＴＢＰ）、１％（ｗ／ｖ）のジ−ｎ−オクチルスルフィド（ＤＯＳ）を、５０ｇのＴＢＰ、１ｇのＤＯＳを混合することにより調製し、Ｍｕｌｔｉｓｏｌｖｅ１５０で容量調整した。
Ｍｕｌｔｉｓｏｌｖｅ１５０は、Ｂｒｅｎｎｔａｇから市販されている。
ＴＢＰは、Ａｌｆａ Ａｅｓａｒ，ジョンソンマッセイ社から市販されている。そのＣＡＳ番号は１２６−７３−８である。ＤＯＳはＡｌｆａ Ａｅｓａｒ，ジョンソンマッセイ社から市販されている。そのＣＡＳ番号は２６９０−０８−６である。
【０１４１】
溶媒抽出プロセス
溶媒抽出手順は、４分間の混合による、フィードから等容量の有機相へのＡｕ及びＩｒの一回の抽出を含んでいた。ついで、金属含有有機相を、適切なフィードと同じ濃度の新しい塩酸水溶液を等容量用いる２回のスクラビング工程に供し、再び４分間混合した。その後、Ｉｒを、４分間の混合により、有機相から等容量の希塩酸水溶液（０．１Ｍ）中に選択的にストリッピングした。ストリッピングプロセスを繰り返した。有機相を、塩酸（１Ｍ）中の等容量のチオ尿素（１Ｍ）と混合することにより、Ａｕを有機相から選択的にストリッピングした。このストリッピング工程もまた繰り返した。
【０１４２】
結果を表１５に示す。金属種の濃度は、誘導結合プラズマ質量分析法（ＩＣＰ分析）を使用して決定した。このデータは、この実施例で用いられた抽出剤がＡｕとＩｒを共抽出することを示す。また、Ｉｒが有機相から選択的にストリッピングされ得、続いてＡｕが選択的にストリッピングされることも証明する。
【０１４３】
0006568118.tif 000025
【０１４４】
文献
１．Gu Guobang等, “Semi-industrial Test on Co-extraction Separation of Pt and Pd by Petroleum Sulfoxides”, Solvent Extraction in the Process Industries Volume 1, Proceedings of ISEC ’93。
２．R. Grant; “Precious Metals Recovery and Refining” - Proc. Int. Prec. Met. Inst. 1989
【図１】
0006568118.tif 000030
【図２】
0006568118.tif 000031
【図３】
0006568118.tif 000032